(57)【要約】【課題】アーム部の上面に降りかかった雨水を軒樋に確実に流入させることができる簡便な軒樋吊具を提供する。【解決手段】鼻隠し板固定部１から前方にアーム部１１が延設され、軒樋を吊持する軒樋吊持部２がそのアーム部１１の下方に連結される軒樋吊具において、アーム部１１上面１１ａの幅方向両側端部に雨水を堰き止める雨水堰き止め部１２が長手方向にわたり上方に突設されていることとする。【選択図】図１
2008127965.tif 000002
【特許請求の範囲】
【請求項１】
鼻隠し板固定部から前方にアーム部が延設され、軒樋を吊持する軒樋吊持部がそのアーム部の下方に連結される軒樋吊具において、アーム部上面の幅方向両側端部に雨水を堰き止める雨水堰き止め部が長手方向にわたり上方に突設されていることを特徴とする軒樋吊具。
【請求項２】
鼻隠し板固定部から延設されるアーム部が前方に向かって下方に傾斜されていることを特徴とする請求項１に記載の軒樋吊具。
【発明の詳細な説明】
【技術分野】
【０００１】
本発明は、軒樋吊具に関するものである。
【背景技術】
【０００２】
従来より、軒先に取り付けられた鼻隠し板に取り付けて固定する鼻隠し板固定部から前方にアーム部が突設され、軒樋を吊持する軒樋吊持部がそのアーム部の下方に連結される軒樋吊具が知られている。この軒樋吊具はアーム部に対して軒樋吊持部が前後方向にスライド自在に連結可能であり、鼻隠し板固定部を鼻隠し板に固定した状態で軒樋吊持部を前後方向にスライドさせることによって、軒樋を任意の位置に調整することができる。
【０００３】
ところで、軒先に配置した軒樋は屋根を伝って落下した雨水を受けて軒先から地面に向かって雨水が落下しないようにしているが、軒樋の上方に位置する軒樋吊具のアーム部に雨水が降りかかったとき、風により雨水がアーム部から鼻隠し板固定部を伝わって鼻隠し板側に回り、鼻隠し板を濡らしたり腐らせたりし、さらに鼻隠し板を取付けた軒先側から軒裏側にまで走ることがあった。これを防止するため、例えば、アーム部の上面に水切り突起を設け、この水切り突起により軒先側から軒裏側に走る雨水を堰き止めるようにした軒樋吊具が知られている（例えば、特許文献１参照）。あるいは、別の方法として、例えば、アーム部の幅方向端部を下方に傾斜させた傾斜部を形成するとともにその下端縁に導水溝を形成し、アーム部上面の雨水を前記導水溝に集水して軒樋に流入させるようにしたものも知られている（例えば、特許文献２参照）。
【特許文献１】特開平７−２１７１２０号公報
【特許文献１】特開２００４−２３２２４２号公報
【発明の開示】
【発明が解決しようとする課題】
【０００４】
しかしながら、上記特許文献１の軒樋吊具によれば、アーム部上面に設けた水切り突起によって軒先側から軒裏側に走る雨水を堰き止めることが可能であるが、水切り突起が形成されていない箇所のアーム部上面を伝って雨水が軒裏側に走る場合があった。また、上記特許文献２の軒樋吊具は、アーム部の上面に降りかかった雨水が傾斜部を伝って導水溝に向かう際に雨水の流れの勢いが強くなり導水溝を超えてしまう場合があった。さらに、傾斜部および導水溝が形成されるなどアーム部の構造が複雑であるため、製造コストがかかるという問題もあった。
【０００５】
そこで、本発明は、以上の通りの事情に鑑みてなされたものであり、アーム部の上面に降りかかった雨水を軒樋に確実に流入させることができる簡便な軒樋吊具を提供することを課題としている。
【課題を解決するための手段】
【０００６】
本発明の軒樋吊具は、上記の課題を解決するために、以下のことを特徴としている。
【０００７】
第１に、鼻隠し板固定部から前方にアーム部が延設され、軒樋を吊持する軒樋吊持部がそのアーム部の下方に連結される軒樋吊具において、アーム部上面の幅方向両側端部に雨水を堰き止める雨水堰き止め部が長手方向にわたり上方に突設されていることを特徴とする。
【０００８】
第２に、上記第１の軒樋吊具において、鼻隠し板固定部から延設されるアーム部が前方に向かって下方に傾斜されていることを特徴とする。
【発明の効果】
【０００９】
上記第１の発明によれば、アーム部上面の幅方向両端部に雨水を堰き止める雨水堰き止め部が長手方向にわたり上方に突設されていることにより、アーム部上面の雨水は鼻隠し板側に回ることなくアーム部の前方先端から確実に軒樋に流入することになる。また、アーム部上面の幅方向両側端部の雨堰き止め部は雨水を堰き止める程度に上方に突出されたものでよく、構造が単純であるため、軒樋吊具を簡便に製造することができる。
【００１０】
上記第２の発明によれば、上記第１の発明の効果に加え、鼻隠し板固定部から延設されるアーム部が前方に向かって下方に傾斜されていることにより、前方先端側から鼻隠し板側方向に伝わっていく雨水の勢いを減衰させて前方先端方向に向けさせるため、アーム部上面の雨水をアーム部の前方先端からさらに確実に軒樋に流入させることができる。
【発明を実施するための最良の形態】
【００１１】
以下に、本発明の実施の形態について、図面を参照しながら説明する。
【００１２】
図１は本発明の実施の形態の軒樋吊具の斜視図である。図２（ａ）は軒樋吊具の鼻隠し板固定部の側面図であり、（ｂ）は（ａ）のＡ−Ａ断面図である。図３は軒樋吊具の軒樋吊持部の斜視図であり、図４は軒樋吊具を用いて軒樋を配置した側面断面図である。
【００１３】
本発明の軒樋吊具は、鼻隠し板固定部１からアーム部１１が前方に延設されており、そのアーム部１１の下方には軒樋４を吊持する軒樋吊持部２が連結具３により連結されている。
【００１４】
本発明における鼻隠し板固定部１は、その四隅コーナー部分に設けられた固定用孔１５が形成されており、ビスや釘などの固定具を挿入させて鼻隠し板Ａに固定される。
【００１５】
鼻隠し板固定部１から前方に延設されるアーム部１１は、その前方先端が自由端であり、前方先端に向かってやや下方に緩やかに傾斜して形成されている。
【００１６】
アーム部１１の上面１１ａは、幅方向中央から両幅方向にやや緩やかに下方に傾斜させた山形状を有しており、その上面１１ａの幅方向両側端部には、雨水を堰き止めるために上方に突設されてなる雨水堰き止め部１２が長手方向の略全長にわたって形成されている。この雨水堰き止め部１２は、アーム部１１の上面１１ａに降りかかった雨水を堰き止める程度の高さを有していればよく、その形状も図１に示すような板形状に限定されるものではない。また、雨水堰き止め部１２の高さはアーム部１１の長手方向の略全長にわたって均一であってもよいが、例えば、アーム部１１が前方先端に向かってやや下方に緩やかに傾斜している場合、鼻隠し板側をやや低くしアーム部１１の前方先端に向かうほど高くするようにしてもよい。また、雨水堰き止め部１２は鉛直方向に上方に突設されていてもよいし、内側あるいは外側に倒れるように突設されるようにしてもよい。なお、雨水堰き止め部１２は、アーム部１１と一体または別体として形成されていてもよいが、特に一体であることが好ましい。この場合には、アーム部１１の上面１１ａの幅方向両側端部に上方への折り曲げ加工や同時成形などによって雨水堰き止め部１２を簡便に形成することができる。
【００１７】
アーム部１１の前方先端は下方に一段下がる段部１３が形成されており、前記雨水堰き止め部１２は鼻隠し板固定部１からこの段部１３の手前まで形成されている。段部１３には上下に貫通する連結孔１４が形成され、その連結孔１４にビスなどの連結具３を挿通させて軒樋吊持部２を連結している。
【００１８】
軒樋吊持部２の前後両端には軒樋耳受け部２１が形成されており、軒樋４の前耳部４１および後耳部４２をそれぞれ前記軒樋耳受け部２１に載せて係止することで軒樋４を吊持するようにしている。
【００１９】
軒樋吊持部２は鼻隠し板固定部１に対して前後方向の任意の位置に位置決め可能にされて、アーム部１１と連結することができる構成になっている。具体的には、軒樋吊持部２を構成する水平板２２に前後に長い長孔２３が形成され、この長孔２３の前後の任意の位置にアーム部１１の段部１３の連結孔１４が位置するように位置決めして連結具３を挿通して連結、固定することで、軒樋吊持部２を鼻隠し板固定部１に対して前後方向の任意の位置に連結、固定することができる。
【００２０】
以上の構成の軒樋吊具にあっては、軒樋吊持部２で吊持される軒樋４の開口部の上方にアーム部１１の段部１３が位置しており、しかもアーム部１１が前方先端に向かってやや下方に緩やかに傾斜しているため、アーム部１１上面１１ａに降りかかった雨水は雨水堰き止め部１２によりアーム部１１の外部に漏れることなく、その前方先端から確実に軒樋４に流入することになる。また、風で雨水が前方先端側から鼻隠し板側方向にアーム部１１の上面１１ａを伝わっていったとしても、アーム部１１の傾斜により雨水の勢いを減衰させて前方先端方向に向けさせるため、さらに確実に雨水を軒樋４に流入させることができる。さらに、本発明におけるアーム部１１の雨水堰き止め部１２は構造が単純であるため、コストをかけずに簡便に製造することができる。
【図面の簡単な説明】
【００２１】
【図１】本発明の実施の形態の軒樋吊具の斜視図である。
【図２】（ａ）は本発明の軒樋吊具の鼻隠し板固定部の側面図であり、（ｂ）は（ａ）のＡ−Ａ断面図である。
【図３】本発明の軒樋吊具の軒樋吊持部の斜視図である。
【図４】本発明の軒樋吊具を用いて軒樋を配置した側面断面図である。
【符号の説明】
【００２２】
１  鼻隠し板固定部
１１  アーム部
１２  雨水堰き止め部
２  軒樋吊持部
３  連結具
４  軒樋
【図１】
2008127965.tif 000003
【図２】
2008127965.tif 000004
【図３】
2008127965.tif 000005
【図４】
2008127965.tif 000006